(57)【要約】 【課題】  効率的な半製品整列および部品組み込みが可能で安価なコの字型部品組み込み治具を提供すること。【解決手段】  半製品３を位置決めして保持する保持固定部を有する第１の治具１と、半製品３に取り付けるコの字型部品５に対し半製品３へのガイド及び位置決めを行う機構を有する第２の治具２とからなり、第２の治具２は、位置決め用の穴４で第１の治具１と組み合わされ、ガイド溝１５に供給されたコの字型部品５をガイド溝１５に沿って移動させ半製品５に組み込んだ後、半製品３及びコの字型部品５がガイド溝１５に接触しない状態にしてガイドプレート６を半製品３から離間させる機構を備えるコの字型部品組み込み治具であり、ガイドプレート６を支持する支持ブロックにはカム機構と揺動機構とが設けられている。【選択図】  図１
2006324329.tif 000002
【特許請求の範囲】
【請求項１】
半製品を位置決めして保持する保持固定部を有する第１の治具と、前記半製品に取り付けるコの字型部品に対し前記半製品へのガイド及び位置決めを行う機構を有する第２の治具とからなり、前記第２の治具は、所定の位置で第１の治具と組み合わされ、ガイド溝に供給されたコの字型部品を前記ガイド溝に沿って移動させ前記半製品に組み込んだ後、前記半製品及びコの字型部品が前記ガイド溝に接触しない状態にして前記ガイド溝が形成されたガイド板を前記半製品から離間させる機構を備えるコの字型部品組み込み治具において、前記ガイド溝が形成されたガイド板を支持する支持ブロックでの前記第１の治具側の箇所にはカム機構が設けられ前記第１の治具とは逆側の箇所には揺動機構の中心となる回転軸が設けられ、前記カム機構を介して前記支持ブロックを載せる直動ガイドの直線運動のみで前記ガイド溝を前記コの字型部品から離し、前記ガイド板を前記半製品から離間させることを特徴とするコの字型部品組み込み治具。
【請求項２】
前記カム機構をなす回転円柱は前記支持ブロックの軸受けに支持された軸を中心に回転し、前記カム機構をなすカム板は、前記回転円柱に接し、前記直動ガイドに支持され、厚さの異なる２箇所とその間の傾斜箇所とを有することを特徴とする請求項１記載のコの字型部品組み込み治具。
【請求項３】
前記支持ブロックには、前記直動ガイドの直線運動によって前記支持ブロックを前記第１の治具から離間させるように移動させるための当接体が設けられたことを特徴とする請求項１又は２記載のコの字型部品組み込み治具。
【請求項４】
前記第１の治具の保持固定部は、前記半製品の外形形状に合わせた形状により位置決めを行う形状であることを特徴とする請求項１から３のいずれかに記載のコの字型部品組み込み治具。
【請求項５】
前記半製品は磁性材料からなり、前記第１の治具の前記保持固定部は前記半製品を保持するための磁石を有することを特徴とする請求項１から４のいずれかに記載のコの字型部品組み込み治具。
【請求項６】
前記第１の治具には前記半製品を複数個保持する保持固定部が形成され、前記第２の治具の前記ガイド板には複数個のガイド溝が併置して形成されたことを特徴とする請求項１から５のいずれかに記載のコの字型部品組み込み治具。
【発明の詳細な説明】
【技術分野】
【０００１】
本発明は、ある製品の所定の位置にコの字型の部品を組み込む装置に用いるコの字型部品組み込み治具に関する。
【背景技術】
【０００２】
図４は、従来技術による、直方体状のインダクタ本体にコの字型部品（電極）を組み付ける工程を示す斜視図である。同図に示したように、従来このような製品にコの字型部品を組み込むには、まず製品固定用の治具等に製品を並べ、組み込み部分を開放した状態でコの字型部品を所定の位置へ手作業で組み込んでいた。さらに、製品にコの字型部品を組み込んだ後、組み込み位置の調整を行う必要があった。
【０００３】
このような工程を機械化するときに利用できる技術として、構成部品を本体に組み付けた後、次の工程に移る間に必要な動作を確保する機構に関して、その構成部品が微小でない場合については、種々の例が知られている（特許文献１など）。  
【０００４】
【特許文献１】特開平１０−１１９８４８号公報
【発明の開示】
【発明が解決しようとする課題】
【０００５】
しかし、製品及びコの字型部品が小さい場合は扱いにくく、製品とコの字型部品の位置決めが難しい。特に、チップ形状のインダクタにコの字型の電極を組み付ける場合などに、その問題が顕著になる。これを解決する機械設備の機構は大がかりなものとなり、比較的、短期間に使用する製造設備の一部として用いるには不適当であった。
【０００６】
そこで、本発明の課題は、安価で、効率的な半製品整列および部品組み込みが可能なコの字型部品組み込み治具を提供することにある。
【課題を解決するための手段】
【０００７】
本発明のコの字型部品組み込み治具は、半製品を位置決めして保持する保持固定部を有する第１の治具と、前記半製品に取り付けるコの字型部品に対し前記半製品へのガイド及び位置決めを行う機構を有する第２の治具とからなり、前記第２の治具は、所定の位置で第１の治具と組み合わされ、ガイド溝に供給されたコの字型部品を前記ガイド溝に沿って移動させ前記半製品に組み込んだ後、前記半製品及びコの字型部品が前記ガイド溝に接触しない状態にして前記ガイド溝が形成されたガイド板を前記半製品から離間させる機構を備えるコの字型部品組み込み治具において、前記ガイド溝が形成されたガイド板を支持する支持ブロックでの前記第１の治具側の箇所にはカム機構が設けられ前記第１の治具とは逆側の箇所には揺動機構の中心となる回転軸が設けられ、前記カム機構を介して前記支持ブロックを載せる直動ガイドの直線運動のみで前記ガイド溝を前記コの字型部品から離し、前記ガイド板を前記半製品から離間させることを特徴とする。
【０００８】
前記カム機構をなす回転円柱は前記支持ブロックの軸受けに支持された軸を中心に回転し、前記カム機構をなすカム板は、前記回転円柱に接し、前記直動ガイドに支持され、厚さの異なる２箇所とその間の傾斜箇所とを有するとよい。
【０００９】
前記支持ブロックには、前記直動ガイドの直線運動によって前記支持ブロックを前記第１の治具から離間させるように移動させるための当接体が設けられるとよい。
【００１０】
前記第１の治具の保持固定部は、前記半製品の外形形状に合わせた形状により位置決めを行う形状であるとよい。
【００１１】
前記半製品は磁性材料からなり、前記第１の治具の前記保持固定部は前記半製品を保持するための磁石を有するとよい。
【００１２】
前記第１の治具には前記半製品を複数個保持する保持固定部が形成され、前記第２の治具の前記ガイド板には複数個のガイド溝が併置して形成され、複数のコの字型部品の組み込みを同時に行うとよい。
【発明の効果】
【００１３】
以上のように、本発明によれば、コの字型部品の組み込み装置に用いられ、コの字型部品を組み込もうとする半製品を効率良く、保持固定又は整列固定させ、コの字型部品をより早く、より規則的に組み込み、位置決めが可能なコの字型部品組み込み治具を提供することができる。
【発明を実施するための最良の形態】
【００１４】
以下、本発明の実施の形態を説明する。本発明の一実施の形態におけるコの字型部品組み込み治具を図１に示す。図１（ａ）はその平面図、図１（ｂ）はその側面図である。また、図３に本実施の形態におけるコの字型部品組み込み治具の動作状態を示す。図３（ａ）はコの字型部品を半製品に組み込んだ直後の状態を示す側面図であり、図３（ｂ）はコの字型部品からガイド溝が離れた状態を示す側面図であり、図３（ｃ）はガイドプレートがコの字型部品から離間した状態を示す側面図である。
【００１５】
図１に示すように、本実施の形態のコの字型部品組み込み治具は、半製品を所定の位置に保持する治具１と、治具１を所定の位置に設置し、コの字型の部品を溜めておき、搬送の際ガイドし、半製品に組み込む治具２で構成される。
【００１６】
治具１では、予め設けられた溝状の箇所へ半製品３のような形状、方向のものを組み込む。半製品３がインダクタのような磁性材料からなるものであれば、治具１内の半製品３が保持される保持固定部の下部へ磁石７を組み込むことで半製品３を保持することも可能である。    
【００１７】
治具２では、治具１の位置決め用の穴４と治具２の位置決めピン８で位置決めを行う。治具１と治具２を位置決めした後、コの字型部品５をガイドするガイドプレート６を治具１へ近づける。ガイドプレート６が所定の位置に決った後、コの字型部品５を半製品３に組み込む。
【００１８】
半製品３とコの字型部品５を組み込んだ後、治具１を取り出す前に、ガイドプレート６とコの字型部品５が接触したままガイドプレート６を動かすと、両者の摩擦によってコの字型部品５の位置が変わってしまうので隙間をあける必要がある。
【００１９】
図３に基づいて説明する。治具２において、ガイドプレート６を治具１から離す際に隙間を作るため、直動ガイド１０上に取り付けたカム板９を移動させる。予め段差の付いたカム板９を移動させることで、カム板９上にある転がり軸受け１１に支持された回転円筒がカム板９の段差の分だけ下がる。転がり軸受け１１は支持ブロック１２によってガイドプレート６と連結している。またガイドプレート６は軸１４を回転中心として揺動する。そのため転がり軸受け１１が下がることでガイドプレート６は軸１４を回転中心として下がり、コの字型部品との間に隙間をつくる事ができる。その後、更にカム板９を移動させ支持ブロック１２に設けられたストッパー（当接体）１３に当てることで、ガイドプレート６を治具１から完全に離し、治具１を取り外し易い状態にする。次に、治具１に半製品３を保持固定して、次のコの字型部品の組み込みを行うと、効率的かつ規則的にコの字型部品の組み込みを行うことができる。
【００２０】
図２は他の実施の形態でのコの字型部品組み込み治具を示し、図２（ａ）は半製品を４５°回転して保持固定する実施の形態の平面図であり、図２（ｂ）は複数の半製品を保持固定する実施の形態の平面図である。
【００２１】
図２（ａ）に示した実施の形態では、半製品３を４５°回転させた状態で、４隅の角形状に合わせた保持固定部を治具１に形成し、また、ガイドプレート６には４５°傾斜したガイド溝１５を設けている。この形態では、半製品３の位置決めが容易になる。
【００２２】
図２（ｂ）に示した実施の形態では、複数の半製品３を位置決めして固定する保持固定部が治具１に設けられている。この形態では、大量のコの字型部品の組み込みを効率的に行うことができる。
【図面の簡単な説明】
【００２３】
【図１】本発明の一実施の形態でのコの字型部品組み込み治具を示し、図１（ａ）はその平面図、図１（ｂ）はその側面図。
【図２】本発明の他の実施の形態でのコの字型部品組み込み治具を示し、図２（ａ）は半製品を４５°回転して保持固定する実施の形態での平面図、図２（ｂ）は複数の半製品を保持固定する実施の形態での平面図。
【図３】本発明の一実施の形態でのコの字型部品組み込み治具の動作状態を示す図。図３（ａ）はコの字型部品を半製品に組み込んだ直後の状態を示す側面図、図３（ｂ）はコの字型部品からガイド溝が離れた状態を示す側面図、図３（ｃ）はガイドプレートがコの字型部品から離間した状態を示す側面図。
【図４】従来技術による、直方体状のインダクタ本体にコの字型部品を組み付ける工程を示す斜視図。
【符号の説明】
【００２４】
１，２    治具
３    半製品
４    位置決め用の穴
５    コの字型部品
６    ガイドプレート（ガイド板）
７    磁石
８    位置決めピン
９    カム板
１０    直動ガイド
１１    転がり軸受け
１２    支持ブロック
１３    ストッパー（当接体）
１４    軸
１５    ガイド溝
【図１】
2006324329.tif 000003
【図２】
2006324329.tif 000004
【図３】
2006324329.tif 000005
【図４】
2006324329.tif 000006